【手続補正書】
【提出日】平成24年5月23日(2012.5.23)
【手続補正１】
【補正対象書類名】明細書
【補正対象項目名】０００６
【補正方法】変更
【補正の内容】
【０００６】
上記課題を解決するため、請求項１に記載の発明の画像合成装置は、
背景画像と、当該背景画像に含まれる主要被写体と当該背景画像を撮像した撮像装置との距離を示す第１距離情報とを取得する第１取得手段と、前景画像と、当該前景画像に含まれる主要被写体と当該前景画像を撮像した撮像装置との距離を示す第２距離情報とを取得する第２取得手段と、前記第１距離情報と前記第２距離情報とを比較する比較手段と、この比較手段による比較結果に基づいて、前記背景画像及び前記前景画像の少なくとも一方にぼかし処理を施す処理手段と、この処理手段によって前記ぼかし処理が少なくとも一方に施された前記背景画像と前記前景画像とを合成する合成手段と、を備えたことを特徴としている。
【手続補正２】
【補正対象書類名】明細書
【補正対象項目名】０００７
【補正方法】変更
【補正の内容】
【０００７】
請求項２に記載の発明は、請求項１に記載の画像合成装置において、
前記比較手段は、前記第１距離情報と前記第２距離情報とを比較して、前記背景画像と前記前景画像との距離差を算出する算出手段を備え、前記処理手段は、前記算出手段により算出された前記距離差に応じて、前記背景画像及び前記前景画像の少なくとも一方に前記ぼかし処理を施すことを特徴としている。
【手続補正３】
【補正対象書類名】明細書
【補正対象項目名】０００８
【補正方法】変更
【補正の内容】
【０００８】
請求項３に記載の発明は、請求項２に記載の画像合成装置において、
前記処理手段は、前記算出手段により算出された前記距離差に応じて前記ぼかし処理の処理強度を変更して前記背景画像及び前記前景画像の少なくとも一方に施すことを特徴としている。
【手続補正４】
【補正対象書類名】明細書
【補正対象項目名】０００９
【補正方法】変更
【補正の内容】
【０００９】
請求項４に記載の発明は、請求項１又は２に記載の画像合成装置において、
前記処理手段は、前記ぼかし処理として、記背景画像及び前記前景画像の少なくとも一方に平滑化処理を施すことを特徴している。
請求項５に記載の発明は、請求項４に記載の画像合成装置において、
前記平滑化処理を施すための複数の平均化フィルタを記憶する平均化フィルタ記憶手段と、前記比較手段による比較結果に基づいて、前記平均化フィルタ記憶手段に記憶された複数のフィルタから前記平滑化処理で用いるべき平均化フィルタを特定する特定手段と、を更に備え、前記処理手段は、前記特定手段により特定されて平均化フィルタを用いて、前記背景画像及び前記前景画像の少なくとも一方に前記平滑化処理を施すことを特徴としている。
【手続補正５】
【補正対象書類名】明細書
【補正対象項目名】００１０
【補正方法】変更
【補正の内容】
【００１０】
請求項６に記載の発明は、請求項１〜５の何れか一項に記載の画像合成装置において、
前記前景画像は、前記主要被写体を含む領域を抽出したものであることを特徴としている。
【手続補正６】
【補正対象書類名】明細書
【補正対象項目名】００１１
【補正方法】変更
【補正の内容】
【００１１】
請求項７に記載の発明は、請求項１〜６の何れか一項に記載の画像合成装置において、
前記背景画像及び前記前景画像を撮像する撮像手段を更に備えたことを特徴としている。
【手続補正７】
【補正対象書類名】明細書
【補正対象項目名】００１２
【補正方法】変更
【補正の内容】
【００１２】
請求項８に記載の発明の画像合成方法は、
画像を合成する画像合成装置の画像合成方法であって、背景画像と、当該背景画像に含まれる主要被写体と当該背景画像を撮像した撮像装置との距離を示す第１距離情報とを取得する第１取得ステップと、前景画像と、当該前景画像に含まれる主要被写体と当該前景画像を撮像した撮像装置との距離を示す第２距離情報とを取得する第２取得ステップと、前記第１距離情報と前記第２距離情報とを比較する比較ステップと、この比較ステップによる比較結果に基づいて、前記背景画像及び前記前景画像の少なくとも一方にぼかし処理を施す処理ステップと、この処理ステップによって前記ぼかし処理が少なくとも一方に施された前記背景画像と前記前景画像とを合成する合成ステップと、を含むことを特徴としている。
【手続補正８】
【補正対象書類名】明細書
【補正対象項目名】００１３
【補正方法】変更
【補正の内容】
【００１３】
請求項９に記載の発明のプログラムは、
画像合成装置のコンピュータを、背景画像と、当該背景画像に含まれる主要被写体と当該背景画像を撮像した撮像装置との距離を示す第１距離情報とを取得する第１取得手段、前景画像と、当該前景画像に含まれる主要被写体と当該前景画像を撮像した撮像装置との距離を示す第２距離情報とを取得する第２取得手段、前記第１距離情報と前記第２距離情報とを比較する比較手段、この比較手段による比較結果に基づいて、前記背景画像及び前記前景画像の少なくとも一方にぼかし処理を施す処理手段、この処理手段によって前記ぼかし処理が少なくとも一方に施された前記背景画像と前記前景画像とを合成する合成手段、として機能させることを特徴としている。
【手続補正９】
【補正対象書類名】特許請求の範囲
【補正対象項目名】全文
【補正方法】変更
【補正の内容】
【特許請求の範囲】
【請求項１】
背景画像と、当該背景画像に含まれる主要被写体と当該背景画像を撮像した撮像装置との距離を示す第１距離情報とを取得する第１取得手段と、
前景画像と、当該前景画像に含まれる主要被写体と当該前景画像を撮像した撮像装置との距離を示す第２距離情報とを取得する第２取得手段と、
前記第１距離情報と前記第２距離情報とを比較する比較手段と、
この比較手段による比較結果に基づいて、前記背景画像及び前記前景画像の少なくとも一方にぼかし処理を施す処理手段と、
この処理手段によって前記ぼかし処理が少なくとも一方に施された前記背景画像と前記前景画像とを合成する合成手段と、
を備えたことを特徴とする画像合成装置。
【請求項２】
前記比較手段は、
前記第１距離情報と前記第２距離情報とを比較して、前記背景画像と前記前景画像との距離差を算出する算出手段を備え、
前記処理手段は、前記算出手段により算出された前記距離差に応じて、前記背景画像及び前記前景画像の少なくとも一方に前記ぼかし処理を施すことを特徴とする請求項１に記載の画像合成装置。
【請求項３】
前記処理手段は、前記算出手段により算出された前記距離差に応じて前記ぼかし処理の処理強度を変更して前記背景画像及び前記前景画像の少なくとも一方に施すことを特徴とする請求項２に記載の画像合成装置。
【請求項４】
前記処理手段は、前記ぼかし処理として、記背景画像及び前記前景画像の少なくとも一方に平滑化処理を施すことを特徴とする請求項１又は２に記載の画像合成装置。
【請求項５】
前記平滑化処理を施すための複数の平均化フィルタを記憶する平均化フィルタ記憶手段と、
前記比較手段による比較結果に基づいて、前記平均化フィルタ記憶手段に記憶された複数のフィルタから前記平滑化処理で用いるべき平均化フィルタを特定する特定手段と、を更に備え、
前記処理手段は、前記特定手段により特定されて平均化フィルタを用いて、前記背景画像及び前記前景画像の少なくとも一方に前記平滑化処理を施すことを特徴とする請求項４に記載の画像合成装置。
【請求項６】
前記前景画像は、前記主要被写体を含む領域を抽出したものであることを特徴とする請求項１〜５の何れか一項に記載の画像合成装置。
【請求項７】
前記背景画像及び前記前景画像を撮像する撮像手段を更に備えたことを特徴とする請求項１〜６の何れか一項に記載の画像合成装置。
【請求項８】
画像を合成する画像合成装置の画像合成方法であって、
背景画像と、当該背景画像に含まれる主要被写体と当該背景画像を撮像した撮像装置との距離を示す第１距離情報とを取得する第１取得ステップと、
前景画像と、当該前景画像に含まれる主要被写体と当該前景画像を撮像した撮像装置との距離を示す第２距離情報とを取得する第２取得ステップと、
前記第１距離情報と前記第２距離情報とを比較する比較ステップと、
この比較ステップによる比較結果に基づいて、前記背景画像及び前記前景画像の少なくとも一方にぼかし処理を施す処理ステップと、
この処理ステップによって前記ぼかし処理が少なくとも一方に施された前記背景画像と前記前景画像とを合成する合成ステップと、
を含むことを特徴とする画像合成方法。
【請求項９】
画像合成装置のコンピュータを、
背景画像と、当該背景画像に含まれる主要被写体と当該背景画像を撮像した撮像装置との距離を示す第１距離情報とを取得する第１取得手段、
前景画像と、当該前景画像に含まれる主要被写体と当該前景画像を撮像した撮像装置との距離を示す第２距離情報とを取得する第２取得手段、
前記第１距離情報と前記第２距離情報とを比較する比較手段、
この比較手段による比較結果に基づいて、前記背景画像及び前記前景画像の少なくとも一方にぼかし処理を施す処理手段、
この処理手段によって前記ぼかし処理が少なくとも一方に施された前記背景画像と前記前景画像とを合成する合成手段、
として機能させることを特徴とするプログラム。